【手続補正書】
【提出日】平成18年4月13日(2006.4.13)
【手続補正１】
【補正対象書類名】明細書
【補正対象項目名】請求項９
【補正方法】変更
【補正の内容】
【請求項９】  請求項１記載のフィルムを少なくとも１層有する積層フィルムであることを特徴とする芳香族ポリエステルフィルム。
【手続補正２】
【補正対象書類名】明細書
【補正対象項目名】０００２
【補正方法】変更
【補正の内容】
【０００２】
【従来の技術】
近年、環境問題の深刻化に伴い、生分解性を有する地球環境に優しい包装材料に対する要求が高まっている。各種食品の包装材料には、内容物保護の信頼性が要求されるため、一般に、機械的強度や耐熱性に優れた合成樹脂フィルムが用いられている。しかし、ポリオレフィン系フィルム、ポリアミド系フィルム、ポリ塩化ビニリデン系フィルムなどの汎用の合成樹脂フィルムは、高性能と長期安定性を目的に開発されているため、機械的強度などの諸物性に優れている反面、自然界に廃棄、放出された後は、分解されずにいつまでも原型を保っている。使用済み包装材料は、ゴミとして収集され、焼却又は埋め立てられているが、実際には散乱ゴミが多量にあり、自然の生態系への悪影響が指摘されている。焼却による環境汚染、埋立地の立地問題なども指摘されている。
【手続補正３】
【補正対象書類名】明細書
【補正対象項目名】００２５
【補正方法】変更
【補正の内容】
【００２５】
スルホネート化合物成分の由来となるスルホネート化合物としては、スルホネート基を含有するジカルボン酸、そのモノエステル体、ジエステル体、アルカリ金属塩、またはアルカリ土類金属塩が挙げられる。好ましくは５−スルホイソフタル酸のアルカリ金属塩であり、特にナトリウム塩が好ましい。
【手続補正４】
【補正対象書類名】明細書
【補正対象項目名】００２９
【補正方法】変更
【補正の内容】
【００２９】
本発明のフィルムは食料品の包装分野で使用する場合、触媒としては毒性が低く、少量の使用で十分な触媒効果が得られるものを選択することが望ましい。触媒の使用量はモノマー成分１００重量部に対して通常０．０１〜３重量部、好ましくは０．０５〜２重量部である。高活性のチタン化合物触媒の場合には、例えば０．０００１重量部程度でも良い。
本発明に用いる芳香族ポリエステル樹脂の市販品としては、ＢＡＳＦ社製、商品名：ＥＣＯＦＬＥＸ、イーストマン社製、商品名：ＥＡＳＴＥＲ  ＢＩＯ、デュポン社製、商品名：ＢＩＯＭＡＸ等が挙げられる。
【手続補正５】
【補正対象書類名】明細書
【補正対象項目名】００４４
【補正方法】変更
【補正の内容】
【００４４】
界面活性剤として用いるグリセリン脂肪酸エステルとしては、グリセリン（モノ、ジ、又はトリ）脂肪酸エステル、ポリグリセリン（モノ、ジ、又はトリ）脂肪酸エステルが挙げられる。ポリグリセリン脂肪酸エステルを構成するポリグリセリンのグリセリン単位数は２〜１０程度である。また、モノグリセリン又はポリグリセリン脂肪酸エステルを構成する脂肪酸としては、炭素数８〜２２の脂肪酸が好ましい。これらの内、ジグリセリンオレート及びジグリセリンラウレートが好ましい。ソルビタン脂肪酸エステルとしては、ソルビタン脂肪酸エステルを構成する脂肪酸としては、炭素数８〜２２の脂肪酸が好ましい。これらのうち、ソルビタンオレート及びソルビタンラウレート等が好ましく挙げられる。
【手続補正６】
【補正対象書類名】明細書
【補正対象項目名】００４７
【補正方法】変更
【補正の内容】
【００４７】
フィルムの成形性、物性及び加工時のハンドリング性等を考慮すると無機粒状体の平均粒径が０．００７〜０．０５μｍであることが好ましい。形状は粒子状が好ましい。粒径が０．００７μｍ未満の場合は、粒子が凝集し易くなり作業性が劣る。０．０５μｍを超える場合、特に数μｍの粒径になると成形体やフィルムの表面に微細の凹凸が生じ外観が不透明になる。
【手続補正７】
【補正対象書類名】明細書
【補正対象項目名】００５１
【補正方法】変更
【補正の内容】
【００５１】
本発明に係わる芳香族ポリエステルフィルムは、芳香族ポリエステル樹脂、又は、芳香族ポリエステル樹脂と脂肪族ポリエステル樹脂との混合樹脂に対し、上記界面活性剤、（必要に応じてアンチブロッキング剤）を添加、混合して樹脂組成物となし、得られた樹脂組成物を押出機等の成形機を用いて、混練、溶融して、フィルム状に成形することにより製造される。ポリエステル樹脂組成物を製造する方法、及びフィルムを製造する方法には特に制限はなく、Ｔ−ダイが装着された押出機を用いる押出成形、円形ダイが装着された押出機を用いるインフレーション成形、カレンダー成形などの公知の方法が適用できる。通常、フィルムの成形温度は１５０〜２００℃程度である。製膜時のシワ発生などを防止するために、溶融樹脂の冷却法等を工夫するためにＴダイ法ではエアーナイフ、インフレーション法では冷却エアー、冷却水を使用した冷却ロールなどを使用することが望ましい。
【手続補正８】
【補正対象書類名】明細書
【補正対象項目名】００５５
【補正方法】変更
【補正の内容】
【００５５】
次いで、本発明の芳香族ポリエステルフィルムをシーラントフィルムとして用いる場合について説明する。
通常、本発明の芳香族ポリエステルフィルムをシーラントフィルムとして用いる場合、該芳香族ポリエステルフィルムを基材層に積層して使用する。積層する方法には制限がなく公知の方法が適用される。例えば、生産性の観点から押出ラミネート法が好ましい。詳しくは、溶融した基材層を形成するための樹脂又は樹脂組成物、及び、上記芳香族ポリエステル組成物を共押出し、２種のフィルムを成形しながら、両フィルムを圧着してラミネートし、冷却して巻き取る方法が挙げられる。また、ドライラミネート法でもよい。詳しくは、前記２種のフィルムをそれぞれ成形した後、両フィルムを接着剤などを用いて貼り合わせる方法が挙げられる。
【手続補正９】
【補正対象書類名】明細書
【補正対象項目名】００６８
【補正方法】変更
【補正の内容】
【００６８】
（８）ヒートシール性
芳香族ポリエステルフィルムを幅（ＴＤ方向）１５ｃｍ、長さ（ＭＤ方向）１５ｃｍに切断し、２枚の試験片を作成する。試料の方向を合わせて２枚重ね合わせ、ヒートシールテスター（テスター産業株式会社製、形式：ＴＰ−７０１−Ａ・Ｂ）を使用し、２．５ｃｍ幅のシールバーにより、袋状になる様にフィルムのＭＤ方向の１方向は開口部とし他の３方向を、シール温度１００℃、シール圧２４５ｋＰａ（２．５ｋｇ／ｃｍ２）の条件下で片側より加熱して１秒間ヒートシールする。但し、ヒ−トシール部は端部より１ｃｍ内側とする。室温まで冷却した後、得られた袋の３辺の未シール部をそれぞれ手で掴み、剥離角度１８０度で引張り、ＴＤ方向、ＭＤ方向それぞれのヒートシール性を評価する。ヒートシール性の評価基準は以下の通り。
良好：ＴＤ方向とＭＤ方向のいずれのヒートシール部も破れずに、他の部位が先に破れたものを良好とする。
不良：他の部位よりもＴＤ方向とＭＤ方向のいずれかのヒートシール部が先に破れたものを不良とする。
【手続補正１０】
【補正対象書類名】明細書
【補正対象項目名】００７０
【補正方法】変更
【補正の内容】
【００７０】
＜芳香族系ポリエステルフィルムの製造＞
実施例１
芳香族系ポリエステル樹脂（ＢＡＳＦ社製、商品名：ＥＣＯＦＬＥＸ）１００重量部に対し、界面活性剤として、ジグリセリンモノオレート（理研ビタミン製、商品名：Ｏ−７１ＤＥ）０．４重量部、ジグリセリンラウレート（理研ビタミン製、商品名：Ｌ−７１Ｄ）０．４重量部、及び、ソルビタンラウレート（理研ビタミン製、商品名：Ｌ−２５０Ａ）１．２重量部を添加、混合して、界面活性剤を含む芳香族ポリエステル樹脂組成物を製造した。得られた樹脂組成物を、Ｔダイが装着されたシリンダーの内径が６５ｍｍのスクリュー押出機を用いて、温度１５０〜１９０℃において混練、溶融して押出成形し、厚み１２μｍの芳香族系ポリエステルフィルムを得た。得られたフィルムの溶融成形性、製膜性、及びフィルムの上記特性を上記方法により評価した。フィルム組成を表１、フィルム特性の評価結果を表３に示す。
【手続補正１１】
【補正対象書類名】明細書
【補正対象項目名】００７８
【補正方法】変更
【補正の内容】
【００７８】
＜外層用樹脂組成物＞
芳香族ポリエステル樹脂：１００重量部、ジグリセリンモノオレート：０．７重量部、ジグリセリンラウレート：０．７重量部、ソルビタンラウレート：０．６重量部、エルカ酸アマイド：０．００３重量部。
＜中間層用樹脂組成物＞
ポリ乳酸：１００重量部、エルカ酸アマイド：０．１重量部。
尚、使用した各原料の商品名は上記と同様である。
【手続補正１２】
【補正対象書類名】明細書
【補正対象項目名】００７９
【補正方法】変更
【補正の内容】
【００７９】
＜食品包装用ラップフィルムの試験＞
実施例１４
実施例１〜１３で得られたフィルムを用いて、発泡ポリスチレン製トレー（縦：２０ｃｍ、横：１５ｃｍ）に粘土で作成した重り１００ｇを２個入れ、それらの全体を手包装した。
包装するに際し、芳香族ポリエステルフィルムの巻き物からの繰り出し性に何ら問題がなかった。また、芳香族ポリエステルフィルム同士の密着性が良好であり、発泡ポリスチレン製トレーからフィルムが剥がれることがなく密着状態が良好であった。更に、包装体を５℃の保管庫内に１時間保管したが、芳香族ポリエステルフィルムの内面に水滴が流れずに付着することはなかった。
【手続補正１３】
【補正対象書類名】明細書
【補正対象項目名】００８２
【補正方法】変更
【補正の内容】
【００８２】
＜シーラントフィルム層用樹脂組成物＞
芳香族ポリエステル樹脂：１００重量部、ジグリセリンモノオレート：０．７重量部、ジグリセリンラウレート：０．７重量部、ソルビタンラウレート：０．６重量部、エルカ酸アマイド：０．００３重量部。
＜基材層用樹脂組成物＞
ポリ乳酸：１００重量部、エルカ酸アマイド：０．１重量部。
尚、使用した各原料の商品名は上記と同様である。